(57)【要約】【課題】施解錠カード製造業者の管理運用を簡便化する。【解決手段】カード製造時に、施解錠カード１０に対し、その施解錠カード１０を識別するための識別情報を第１記憶エリア１１ａに書き込み、鍵ＩＤ情報が書き込まれる第２記憶エリア１１ｂを空き状態で製造する。鍵ＩＤ情報の書き込み時には、施解錠カード１０毎の鍵ＩＤ情報をランダムに生成し、施解錠カード１０の第２記憶エリア１１ｂが空き状態であると判別したとき、この第２記憶エリア１１ｂに対し、生成した鍵ＩＤ情報の書き込みを行う。第２記憶エリア１１ｂに鍵ＩＤ情報が既に書き込まれていると判別されたときは、既存の鍵ＩＤ情報に上書きが必要であった場合、生成した鍵ＩＤ情報を上書きする。【選択図】図１
2010168797.tif 000002
【特許請求の範囲】
【請求項１】
キー情報の正当性を判別して正常に認証したときのみ錠前を電気的に施解錠制御するカードロックシステムに用いられる施解錠カードを発行する電気錠用カード発行システムであって、
前記施解錠カードは、当該施解錠カードを識別するための前記キー情報としての識別情報が書き込まれる第１記憶エリアと、前記施解錠カード毎にランダムに生成された前記キー情報としての鍵ＩＤ情報が書き込まれる第２記憶エリアとが少なくとも区分された記憶部を有し、
前記鍵ＩＤ情報を前記施解錠カード毎にランダムに生成する鍵ＩＤ生成手段と、前記施解錠カードの前記第２記憶エリアが空き状態であるか否かを判別する状態判別手段とを備え、前記施解錠カードの第２記憶エリアが空き状態であると判別したとき、当該第２記憶エリアに対して前記生成した鍵ＩＤ情報の書き込みを行う情報読書器を備えたことを特徴とする電気錠用カード発行システム。
【請求項２】
前記情報読書器は、前記施解錠カードの第２記憶エリアに前記鍵ＩＤ情報が既に書き込まれていると前記状態判別手段が判別したときに、既存の鍵ＩＤ情報に上書きが必要であった場合は前記生成した鍵ＩＤ情報を上書きすることを特徴とする請求項１記載の電気錠用カード発行システム。
【請求項３】
さらに、前記施解錠カードのカード券面に前記識別情報が形成されていることを特徴とする請求項１又は２記載の電気錠用カード発行システム。
【発明の詳細な説明】
【技術分野】
【０００１】
本発明は、予め記憶したキー情報の正当性の有無に基づき錠を電気的に施解錠制御するカードロックシステムに用いる施解錠カードを発行する電気錠用カード発行システムに関するものである。
【背景技術】
【０００２】
従来より、外部からの不正侵入やプライバシー保護などのセキュリティ向上を目的として、例えば集合住宅や一般住宅のエントランスや玄関、官公庁などの公共施設やオフィスビルなどの商業施設の入出口には、カード式電気錠を用いたカードロックシステムが広く普及している。
【０００３】
このカードロックシステムは、各所の電気錠毎に予め割り当てられた特定の暗号や施解錠情報等の各種カード情報が記憶されたカード状記憶媒体を施解錠カードとして用い、この施解錠カードに記憶されたキー情報（例えば特定の暗号による施解錠データ）を読み取り、読み取った各種カード情報を予め登録された情報と照合して正当性を判別する。そして、正常に認証した場合のみ、そのときの錠前の状態（扉の開閉状態、錠前の施解錠状態）に応じて錠前を電気的に施解錠制御するものである。
【０００４】
従って、カードロックシステムは、ピッキング等の不正な施解錠行為を防止し、且つ、鍵の複製が非常に困難なため、セキュリティー面において信頼されている。また、各施解錠カード毎の各種データをホストコンピューターで管理しているため、データ破損等の心配がなく、施解錠カードを紛失した場合においても施解錠カードを再発行することが可能である。なお、この種のカード式電気錠を用いたカードロックシステムとしては、例えば下記特許文献１に開示されるものが公知である。
【先行技術文献】
【特許文献】
【０００５】
【特許文献１】特公昭５８−５１５９３号公報
【発明の概要】
【発明が解決しようとする課題】
【０００６】
ところで、カード式電気錠の施解錠時に使用される施解錠カードは、通常、製造元の工場にて一括生産されており、製造時に各カードにキー情報の書き込みが行われていた。しかしながら、製造工場において施解錠カードにキー情報を書き込む場合、キー情報の漏洩や重複事故が起こらないように施解錠カードを厳重に管理しなければならず、カード製造業者にとって管理運用が大きな負担となっていた。
【０００７】
また、施解錠カードの製造にあたり、例えば１枚目の施解錠カードには「００００１」、２枚目の施解錠カードには「００００２」など、一般的にキー情報として連続した数字や文字などの規則的な情報を使用している場合が多い。従って、大規模なオフィスビルやマンションなどの集合住宅に施解錠カードを納品する場合は、まとまった形で同物件に納品されるため、例えば施解錠カードのキー情報が解析されてしまった場合に、他のキー情報まで推測され易くなり、施解錠カードが不正発行される虞があった。
【０００８】
そこで、本発明は上記問題点に鑑みてなされたものであり、施解錠カードの管理が簡便化されるとともに、キー情報の解析による施解錠カードの不正発行を防ぐことのできる電気錠用カード発行システムを提供することを目的とするものである。
【課題を解決するための手段】
【０００９】
上記した目的を達成するために、請求項１記載の電気錠用カード発行システムは、キー情報の正当性を判別して正常に認証したときのみ錠前を電気的に施解錠制御するカードロックシステムに用いられる施解錠カードを発行する電気錠用カード発行システムであって、
前記施解錠カードは、当該施解錠カードを識別するための前記キー情報としての識別情報が書き込まれる第１記憶エリアと、前記施解錠カード毎にランダムに生成された前記キー情報としての鍵ＩＤ情報が書き込まれる第２記憶エリアとが少なくとも区分された記憶部を有し、
前記鍵ＩＤ情報を前記施解錠カード毎にランダムに生成する鍵ＩＤ生成手段と、前記施解錠カードの前記第２記憶エリアが空き状態であるか否かを判別する状態判別手段とを備え、前記施解錠カードの第２記憶エリアが空き状態であると判別したとき、当該第２記憶エリアに対して前記生成した鍵ＩＤ情報の書き込みを行う情報読書器を備えたことを特徴とする。
【００１０】
請求項２記載の電気錠用カード発行システムは、請求項１記載の電気錠用カード発行システムにおいて、
前記情報読書器は、前記施解錠カードの第２記憶エリアに前記鍵ＩＤ情報が既に書き込まれていると前記状態判別手段が判別したときに、既存の鍵ＩＤ情報に上書きが必要であった場合は前記生成した鍵ＩＤ情報を上書きすることを特徴とする。
【００１１】
請求項３記載の電気錠用カード発行システムは、請求項１又は２記載の電気錠用カード発行システムにおいて、
さらに、前記施解錠カードのカード券面に前記識別情報が形成されていることを特徴とする。
【発明の効果】
【００１２】
本発明の電気錠用カード発行システムによれば、カード製造時にキー情報である識別情報のみが書き込まれ、納品後にキー情報である鍵ＩＤ情報が書き込まれるため、カード製造工場におけるキー情報の漏洩や重複事故が起こらぬよう厳重に管理する必要がなくなり、管理運用が簡便化する。
【００１３】
また、情報読書器において施解錠カード毎にランダムに鍵ＩＤ情報を生成した後、第２記憶エリアに書き込みを行っているため、まとめて納品された施解錠カードのキー情報が万が一解析されてしまった場合であっても、他のキー情報まで推測が困難となり、施解錠カードが不正発行されるなどのリスクを軽減させる効果を奏する。
【図面の簡単な説明】
【００１４】
【図１】本発明に係る電気錠用カード発行システムの構成を説明するための概略構成図である。
【図２】同システムの処理動作を説明するためのフローチャート図である。
【発明を実施するための形態】
【００１５】
以下、本発明を実施するための形態について、添付した図面を参照しながら詳細に説明する。
【００１６】
［電気錠用カード発行システムの構成］
まず、本発明に係る電気錠用カード発行システムの構成について、図１を参照しながら説明する。
【００１７】
図１に示すように、本例の電気錠用カード発行システム１は、例えばマンションなどの集合住宅、ホテルやオフィスビルなどの大規模な商業施設に採用される一般的なカードロックシステムにおいて施解錠時に所定操作される施解錠カード１０の発行を行っている。図示のように、電気錠用カード発行システム１は、施解錠カード１０、情報読書器２０で構成されている。
【００１８】
施解錠カード１０は、例えばプロセッサチップのメモリに各種データの読み書きが可能なＩＣカード、ＣＰＵ、ＲＯＭ、ＲＡＭ、フラッシュＲＡＭ等を含むＩＣチップ（ＲＦＩＤタグ）を搭載し非接触通信によるリード／ライトが可能な非接触ＩＣチップ内蔵カードなど、各種情報の記憶／書き換えが可能な記憶部１１を有するカード状記憶媒体で構成される。
【００１９】
記憶部１１は、施解錠時に必要なキー情報である識別情報と鍵ＩＤ情報を個別に記憶するため、少なくとも２つの記憶エリア（第１記憶エリア１１ａ、第２記憶エリア１１ｂ）に区分されている。第１記憶エリア１１ａには、カード製造時に製造工場にて各カードを識別するための識別情報が書き込まれる。また、第２記憶エリア１１ｂには、エリア内が空き状態（ＮＵＬＬ）であった場合又は既存の鍵ＩＤ情報の上書きを行う場合に、情報読書器２０で生成された鍵ＩＤ情報が書き込まれる。
【００２０】
ここで、記憶部１１の各エリアに記憶されるキー情報（識別情報、鍵ＩＤ情報）について具体例をあげて説明する。なお、以下に説明する各種情報は一例であり、本発明に係るキー情報を限定するものでない。
【００２１】
＜識別情報＞
識別情報は、第１記憶エリア１１ａに記憶され、例えば製造時の製造番号や製造順の通し番など各カードの識別が可能な連続性を有する情報である。識別情報の一例としては、１枚目の施解錠カード１０に「０００００１」、２枚目の施解錠カード１０に「０００００２」、ｎ番目の施解錠カード１０に「０００００ｎ」といったように、連続した数字を各カードに記憶させている。これにより、製造した施解錠カード毎に割り振られた連続性を有する識別情報が第１記憶エリア１１ａに書き込まれるため、製造業者の管理運用が容易となる。
【００２２】
また、前述した識別情報の他の例として、カード発行者が識別可能なカード製造工場における製造年月日、製造装置の番号、発行通番などの規則性を有する情報でもよい。一例としては、１枚目の施解錠カード１０に「０９０１０１０１００１」、２枚目の施解錠カード１０に「０９０１０１０１００２」、ｎ番目の施解錠カード１０に「０９０１０１０１００ｎ」と割り当てて記憶させている。なお、この場合の識別情報は、左から「０９」を年、「０１」を月、「０１」を日、「０１、０２、０ｎ」を発行装置の機体番号、「００１、００２、００ｎ」を発行通番として表記している。これにより、製造番号のように連続性を有さないが施解錠カード毎に割り振られた固有の識別情報が第１記憶エリアに書き込まれるため、製造業者の管理運用が容易となる。
【００２３】
＜鍵ＩＤ情報＞
鍵ＩＤ情報は、第２記憶エリア１１ｂに記憶され、情報読書器２０にて生成される乱数などのランダムな情報であり、第１記憶エリア１１ａに識別情報が記憶された状態の施解錠カード１０に対して書き込まれる。鍵ＩＤ情報の一例としては、１枚目の施解錠カード１０に「５６８４１３」、２枚目の施解錠カード１０に「３６９２４８」のように各カードに記憶させている。これにより、カード製造時には第２記憶エリア１１ｂが空き状態であり、鍵ＩＤ情報の書き込み時に生成した施解錠カード１０毎に固有の鍵ＩＤ情報が第２記憶エリア１１ｂに書き込まれるため、カード製造業者の管理運用が簡便化する。
【００２４】
情報読書器２０は、例えば磁気カード、ＩＣカード、非接触ＩＣチップ内蔵カードなどの各種施解錠カード１０に記憶された施解錠情報の読み書きを行う、例えばスワイプ式、挿入式、非接触式など各種情報の読書機能を有するカードリーダ／ライタで構成される。情報読書器２０は、情報読書手段２１、鍵ＩＤ情報生成手段２２、状態判別手段２３、情報記憶手段２４、処理制御手段２５、表示手段２６を備えて構成されている。
【００２５】
情報読書手段２１は、処理制御手段２５の制御により、施解錠カード１０に記憶されたキー情報の読み書きを行っている。具体的には、施解錠カード１０の第１記憶エリア１１ａに記憶された識別情報の読み込み処理、第２記憶エリア１１ｂに既に記憶されている鍵ＩＤ情報の読み込み処理、第２記憶エリア１１ｂに対する鍵ＩＤ情報の書き込み又は上書き処理を行っている。
【００２６】
鍵ＩＤ情報生成手段２２は、処理制御手段２５の制御により、施解錠カード１０に対する鍵ＩＤ情報の書き込み処理の際に、例えば乱数などを発生させて施解錠カード１０毎に鍵ＩＤ情報をランダムに生成している。
【００２７】
状態判別手段２３は、処理制御手段２５の制御により、鍵ＩＤ情報の書き込み処理の際に操作された施解錠カード１０の第２記憶エリア１１ｂが空き状態（ＮＵＬＬ）か否かを判別し、この状態情報を処理制御手段２５に出力している。
【００２８】
情報記憶手段２４は、例えば磁気的、光学的記憶媒体若しくはＲＯＭ、ＲＡＭなどの半導体メモリで構成される。情報記憶手段２４は、処理制御手段２５の制御により、施解錠カード１０に記憶される識別情報と生成した鍵ＩＤ情報とを、操作された施解錠カード１０のキー情報として記憶している。また、情報記憶手段２４は、施解錠カード１０に既に記憶された鍵ＩＤ情報に対して上書き処理が行われなかった場合、この施解錠カード１０に記憶された識別情報と既存の鍵ＩＤ情報とを操作された施解錠カード１０のキー情報として記憶している。
【００２９】
処理制御手段２５は、例えばＣＰＵやＲＡＭ、ＲＯＭなどのマイクロコンピュータで構成される。処理制御手段２５は、状態判別手段２３からの状態情報やオペレータの所定操作に基づき、施解錠カード１０に書き込む鍵ＩＤ情報の生成処理の制御、施解錠カード１０の第２記憶エリア１１ｂの空き状態の判別処理の制御、施解錠カード１０に記憶されたキー情報の読み込み処理の制御、鍵ＩＤ情報生成手段２２で生成した鍵ＩＤ情報の書き込み又は上書き処理の制御、施解錠カード１０の識別情報と鍵ＩＤ情報の登録処理、表示手段２６に対する表示処理の制御など、情報読書器２０を構成する各部の処理制御を行っている。
【００３０】
表示手段２６は、例えばＬＥＤや液晶画面などの表示機器で構成されている。表示手段２６は、処理制御手段２５の制御により、施解錠カード１０の第２記憶エリア１１ｂの状態に基づき、オペレータが識別可能に表示（ＬＥＤによる点灯／点滅表示や色別表示、液晶画面による文字表示など）を行っている。
【００３１】
なお、情報読書器２０は、機器単体での使用の他、例えばホテルのフロントやマンション管理室に設置されるカード発行器に具備された構成でもよい。
【００３２】
［電気錠用カード発行システムの処理動作］
次に、上述した電気錠用カード発行システムにおける処理動作について、図２を参照しながら説明する。
【００３３】
オペレータは、鍵ＩＤ情報の書き込み処理を開始すると、まずランダムな鍵ＩＤ情報を生成する（ＳＴ１）。次に、操作した施解錠カード１０の第２記憶エリア１１ｂが空き状態であるか否かの判別を行う（ＳＴ２）。
【００３４】
第２記憶エリア１１ｂが空き状態であった場合（ＳＴ２−Ｙｅｓ）、ＳＴ１で生成した鍵ＩＤ情報を第２記憶エリア１１ｂに書き込む（ＳＴ３）。そして、情報読取器２０に施解錠カード１０に記憶された認証情報と鍵ＩＤ情報とをこの施解錠カード１０のキー情報として登録し（ＳＴ４）、処理を終了する。
一方、第２記憶エリア１１ｂが空き状態でなかった場合（ＳＴ２−Ｎｏ）、第２記憶エリア１１ｂに鍵ＩＤ情報が既に記憶されているため、オペレータが鍵ＩＤ情報を上書きするか否かを選択する（ＳＴ５）。
【００３５】
ＳＴ５において、鍵ＩＤ情報を上書きする場合（ＳＴ５−Ｙｅｓ）、ＳＴ１で生成した鍵ＩＤ情報を書き込むためＳＴ３へ移行する。
一方、鍵ＩＤ情報を上書きしない場合（ＳＴ５−Ｎｏ）、書き込まれている既存の鍵ＩＤ情報を使用するため、生成した鍵ＩＤ情報を破棄する（ＳＴ６）。そして、施解錠カード１０に既に記憶された認証情報と鍵ＩＤ情報とを、この施解錠カード１０のキー情報として登録し（ＳＴ７）、処理を終了する。
【００３６】
このように、上述した電気錠用カード発行システムは、カード製造時に各施解錠カード１０を識別するための識別情報を第１記憶エリア１１ａに書き込み、鍵ＩＤ情報が書き込まれる第２記憶エリア１１ｂを空き状態で製造する。そして、鍵ＩＤ情報の書き込み時に、施解錠カード１０毎の鍵ＩＤ情報をランダムに生成し、施解錠カード１０の第２記憶エリア１１ｂが空き状態であると判別したとき、この第２記憶エリア１１ｂに対して生成した鍵ＩＤ情報の書き込みを行っている。
【００３７】
これにより、カード製造工場においてキー情報である鍵ＩＤ情報が記憶されていない状態で施解錠カード１０の管理を行うことができるため、キー情報の漏洩や重複事故が起こらないように厳重に管理する必要がなくなる。
【００３８】
また、製造した施解錠カード１０をまとめて納品した場合であっても、納品後に情報読書器２０において施解錠カード１０毎にランダムに鍵ＩＤ情報を生成した後、第２記憶エリア１１ｂに書き込みを行っているため、施解錠カード１０のキー情報が万が一解析されてしまった場合であっても、他のキー情報まで推測が困難となり、施解錠カード１０が不正発行されるリスクを軽減することができる。
【００３９】
ところで、上述した図２に示す処理内容において、鍵ＩＤ情報の生成処理（ＳＴ１）を鍵ＩＤ情報が書き込まれているか否かの判別処理（ＳＴ２）の後に行う構成とすることもできる。この場合、既存の鍵ＩＤ情報の上書きを行わないと判断する処理（ＳＴ５−Ｎｏ）後に行われる生成した鍵ＩＤ情報を破棄する処理（ＳＴ６）が必要なく省略されるため、処理動作を簡略化することができる。
【００４０】
また、施解錠カード１０の記憶部１１には、使用環境やセキュリティ性の向上を目的として、必要に応じて施解錠の操作履歴や施解錠操作時の異常情報などを書き込むための操作情報記憶エリアを確保することもできる。
【００４１】
さらに、上述した形態では、施解錠カード１０を識別する識別情報を第１記憶エリア１１ａに記憶させた構成で説明したが、さらに施解錠カード１０の券面に識別情報を形成（印刷装置の印字やエンボス加工による刻印など）しておくことで、施解錠カード１０の識別の際にその都度カードに記憶された識別情報を読み込む手間が省け、カード管理運用がより簡便化する。
【００４２】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【符号の説明】
【００４３】
１…電気錠用カード発行システム
１０…施解錠カード
１１…記憶部（１１ａ…第１記憶エリア、１１ｂ…第２記憶エリア）
２０…情報読書器
２１…情報読書手段
２２…鍵ＩＤ情報生成手段
２３…状態判別手段
２４…情報記憶手段
２５…処理制御手段
２６…表示手段
【図１】
2010168797.tif 000003
【図２】
2010168797.tif 000004